(57)【要約】      （修正有）【課題】２枚の表示パネルが平面視で重畳する領域と、重畳しない領域とを有する表示装置を、シンプルな構造で実現する。【解決手段】液晶表示装置は、同一平面上に配置されたバックライトＢＬと、第１の表示領域ＤＡ１を有する第１の表示パネルＤＰ１と、第１の表示領域ＤＡ１の一部と平面視でその全体が重畳する第２の表示領域ＤＡ２を有し、第１の表示パネルＤＰ１とバックライトＢＬとの間に配置された第２の表示パネルＤＰ２と、を含み、バックライトＢＬが、第２の表示領域ＤＡ２を介して第１の表示領域ＤＡ１と対向する領域と、第２の表示領域ＤＡ２を介さずに第１の表示領域ＤＡ１と対向する領域と、を有する。【選択図】図３
2019179195.tif 000002
【特許請求の範囲】
【請求項１】
同一平面上に配置されたバックライトと、
第１の表示領域を有する第１の表示パネルと、
前記第１の表示領域の一部と平面視でその全体が重畳する第２の表示領域を有し、前記第１の表示パネルと前記バックライトとの間に配置された第２の表示パネルと、
を含み、
前記バックライトが、
前記第２の表示領域を介して前記第１の表示領域と対向する領域と、
前記第２の表示領域を介さずに前記第１の表示領域と対向する領域と、を有する、
液晶表示装置。
【請求項２】
前記第１の表示パネルの面積と前記第２の表示パネルの面積とは、実質的に同じである
請求項１に記載の液晶表示装置。
【請求項３】
前記第１の表示領域は、前記第２の表示パネルを駆動する第２の駆動回路が配置される第２の領域と、平面視で重畳し、
前記第１の表示領域における、前記第２の領域と平面視で重畳する領域は、黒色の画像を常に表示する、
請求項１に記載の液晶表示装置。
【請求項４】
前記第１の表示パネルは、
第１の薄膜トランジスタ基板と、
前記第１の薄膜トランジスタ基板と対向して配置され、カラーフィルタとブラックマトリクスとを含む第１の対向基板と、を含み、
前記第１の表示パネルは、前記第２の表示パネルを駆動する第２の駆動回路が配置される第２の領域と、平面視で重畳し、
表示面側から見て前記第２の領域を覆うように、前記ブラックマトリクスが配置された、
請求項１に記載の液晶表示装置。
【請求項５】
前記第１の表示パネルを駆動する第１の駆動回路が配置される第１の領域と、
前記第２の表示パネルを駆動する第２の駆動回路が配置される第２の領域と、が平面視で重畳する、
請求項１に記載の液晶表示装置。
【請求項６】
前記第２の表示パネルは、
第２の薄膜トランジスタ基板と、
前記第２の薄膜トランジスタ基板と対向して配置される第２の対向基板と、
前記第２の薄膜トランジスタ基板と前記第２の対向基板とに挟持される第２の液晶層と、
前記第２の液晶層と、前記第１の表示領域とが平面視で重畳し、映像を表示しない無表示領域と、を更に含み、
前記第２の表示パネルと前記第１の表示パネルとの間に配置された、第１の偏光方向を有する第１の偏光板と、
前記無表示領域と平面視で重畳し、前記第２の表示パネルと前記バックライトとの間に配置された、前記第１の偏光方向を有する第２の偏光板と、
を更に含む、
請求項１に記載の液晶表示装置。
【請求項７】
前記第２の表示領域と平面視で重畳し、前記第２の表示パネルと前記バックライトとの間に配置され、前記第１の偏光方向と交差する第２の偏光方向を有する第３の偏光板を含む、
請求項６に記載の液晶表示装置。
【請求項８】
前記第２の表示パネルは、
第２の薄膜トランジスタ基板と、
前記第２の薄膜トランジスタ基板と対向して配置される第２の対向基板と、
前記第２の薄膜トランジスタ基板と前記第２の対向基板とに挟持される第２の液晶層と、
前記第２の液晶層と、前記第１の表示領域とが平面視で重畳し、映像を表示しない無表示領域と、を更に含み、
前記第２の薄膜トランジスタ基板は、前記無表示領域において、画素電極を含まない、
請求項１に記載の液晶表示装置。
【請求項９】
前記第２の表示パネルは、前記第２の表示パネルを駆動する第２の駆動回路を更に含み、
前記無表示領域は、平面視で、前記第２の駆動回路と、前記第２の表示領域と、の間に位置する第１の無表示領域を含み、
前記第２の薄膜トランジスタ基板は、前記第２の表示領域において、第１方向に延伸する複数の第１の配線と、前記第１方向とは異なる第２方向に延伸する複数の第２の配線と、を含み、
前記第２の配線は、前記第２の駆動回路から前記第１の無表示領域を通り、前記第２の表示領域につながっており、
前記第２の薄膜トランジスタ基板は、前記第１の無表示領域において、前記第１の配線を含まない、
請求項６に記載の液晶表示装置。
【請求項１０】
前記第１の無表示領域における前記第２の配線の幅よりも、前記第２の表示領域における前記第２の配線の幅の方が、太い、
請求項９に記載の液晶表示装置。
【請求項１１】
前記無表示領域は、平面視で、前記第２の表示領域に対して、前記第１の無表示領域と反対側に配置された第２の無表示領域を更に含み、
前記第２の薄膜トランジスタ基板は、前記第２の無表示領域において、前記第２の配線を含まない、
請求項９に記載の液晶表示装置。
【請求項１２】
前記第２の配線は、ゲート配線である、
請求項９に記載の液晶表示装置。
【請求項１３】
前記第２の配線は、コモン配線である、
請求項９に記載の液晶表示装置。
【請求項１４】
前記第２の配線は、ソース配線である、
請求項９に記載の液晶表示装置。
【請求項１５】
前記第２の表示パネルは、
第２の薄膜トランジスタ基板と、
前記第２の薄膜トランジスタ基板と対向して配置される第２の対向基板と、
前記第２の薄膜トランジスタ基板と前記第２の対向基板とに挟持される第２の液晶層と、
前記第２の液晶層と、前記第１の表示領域とが平面視で重畳し、映像を表示しない無表示領域と、を更に含み、
前記無表示領域と、前記バックライトとの間に配置された、紫外光を遮断するフィルムを更に含む、
請求項１に記載の液晶表示装置。
【請求項１６】
前記第２の表示領域と平面視で重畳するように、前記第２の表示パネルと前記バックライトとの間に配置された第３の偏光板を含む、
請求項１５に記載の液晶表示装置。
【請求項１７】
平面視で、前記第１の表示パネルの形状が矩形状であり、
平面視で、前記第２の表示パネルの形状が非矩形状である、
請求項１に記載の液晶表示装置。
【請求項１８】
前記第２の表示パネルは、
第２の薄膜トランジスタ基板と、
前記第２の薄膜トランジスタ基板と対向して配置される第２の対向基板と、
前記第２の薄膜トランジスタ基板と前記第２の対向基板とに挟持される第２の液晶層と、
前記第２の液晶層と、前記第１の表示領域とが平面視で重畳し、映像を表示しない無表示領域と、を更に含み、
前記第１の表示パネルの表示面側に配置された、第２の偏光方向を有する第４の偏光板と、
前記第２の表示パネルの前記無表示領域および前記第２の表示領域と平面視で重畳し、前記第２の表示パネルと前記バックライトとの間に配置され、前記第２の偏光方向と交差する第１の偏光方向を有する第２の偏光板と、
を更に含む、
請求項１に記載の液晶表示装置。
【請求項１９】
前記無表示領域と平面視で重畳し、前記第１の表示パネルと前記第２の表示パネルとの間に配置され、前記第１の偏光方向を有する第１の偏光板を含み、
前記第１の表示パネルと前記第２の表示パネルとの間で、前記第２の表示領域と平面視で重畳する領域には、偏光板を含まない、
請求項１８に記載の液晶表示装置。
【請求項２０】
前記バックライトが、複数のＬＥＤを含み、
前記バックライトが、前記第２の表示領域を介して前記第１の表示領域と対向する領域における、単位面積当たりの前記ＬＥＤの個数と、
前記バックライトが、前記第２の表示領域を介さずに前記第１の表示領域と対向する領域における、単位面積当たりの前記ＬＥＤの個数と、が異なる、
請求項１に記載の液晶表示装置。
【発明の詳細な説明】
【技術分野】
【０００１】
本発明は、液晶表示装置に関する。
【背景技術】
【０００２】
下記特許文献においては、表示装置が２枚の表示パネルを有し、２枚の表示パネルが、平面視で重畳する領域と、２枚の表示パネルが平面視で重畳しない領域に、それぞれ別のバックライトを有する構成が開示されている。
【先行技術文献】
【特許文献】
【０００３】
【特許文献１】特開２００８−１５８１７４号公報
【発明の概要】
【発明が解決しようとする課題】
【０００４】
上記従来の構成では、構造が複雑になることが課題となっていた。即ち、上記従来の構成では、バックライトを２枚の表示パネルの表示領域が平面視で重畳する領域と、重畳しない領域とに分けて配置する必要があるため、構造が複雑になってしまっていた。
【０００５】
本開示においては、２枚の表示パネルが平面視で重畳する領域と、重畳しない領域とを有する表示装置を、シンプルな構造で実現することを目的とする。
【課題を解決するための手段】
【０００６】
上記課題を解決するために、本開示に係る液晶表示装置は、同一平面上に配置されたバックライトと、第１の表示領域を有する第１の表示パネルと、前記第１の表示領域の一部と平面視でその全体が重畳する第２の表示領域を有し、前記第１の表示パネルと前記バックライトとの間に配置された第２の表示パネルと、を含み、前記バックライトが、前記第２の表示領域を介して前記第１の表示領域と対向する領域と、前記第２の表示領域を介さずに前記第１の表示領域と対向する領域と、を有する。
【発明の効果】
【０００７】
本開示に係る液晶表示装置によれば、２枚の表示パネルの表示領域が平面視で重畳する領域と、重畳しない領域とを有する液晶表示装置を、シンプルな構造で実現することができる。
【図面の簡単な説明】
【０００８】
【図１】図１は第１の実施形態に係る液晶表示装置を示す模式的な段面図である。
【図２】図２は第１の実施形態に係る液晶表示装置を示す模式的な段面図である。
【図３】図３は第１の実施形態に係る液晶表示装置を示す模式的な段面図である。
【図４】図４は第１の実施形態に係る液晶表示装置を示す模式的な段面図である。
【図５】図５は第１の実施形態の第２の表示パネルにおける第２の駆動回路と配線との配置を示す模式的な平面図である。
【図６】図６は第１の実施形態に係る液晶表示装置を示す模式的な段面図である。
【図７】図７は第１の実施形態に係る液晶表示装置を示す模式的な段面図である。
【図８】図８は第１の実施形態に係る液晶表示装置を示す模式的な段面図である。
【図９】図９は第１の実施形態に係る液晶表示装置を示す模式的な段面図である。
【図１０】図１０は第１の実施形態に係る液晶表示装置を示す模式的な段面図である。
【図１１】図１１は第１の実施形態に係る液晶表示装置を示す模式的な段面図である。
【図１２】図１２は第１の実施形態に係る液晶表示装置を示す模式的な段面図である。
【図１３】図１３は第１の実施形態に係る液晶表示装置を示す模式的な段面図である。
【図１４】図１４は第１の実施形態に係る液晶表示装置を示す模式的な平面図である。
【図１５】図１５は第１の実施形態に係る液晶表示装置を示す模式的な平面図である。
【発明を実施するための形態】
【０００９】
［第１の実施形態］
本開示における第１の実施形態について、図面を用いて以下に説明する。
【００１０】
図１に示すように、本実施形態の液晶表示装置は、同一平面上に配置されたバックライトＢＬと、第１の表示領域ＤＡ１を有する第１の表示パネルＤＰ１と、第２の表示領域ＤＡ２を有し、第１の表示パネルＤＰ１とバックライトＢＬとの間に配置された第２の表示パネルＤＰ２と、を含む。第２の表示領域ＤＡ２は、第１の表示領域ＤＡ１より面積が小さく、第１の表示領域ＤＡ１の一部と、平面視でその全体が重畳する。
【００１１】
バックライトＢＬは、第２の表示領域ＤＡ２を介して第１の表示領域ＤＡ１と対向する領域と、第２の表示領域ＤＡ２を介さずに第１の表示領域ＤＡ１と対向する領域と、を有する。本実施形態においては、バックライトＢＬが、第１の表示領域ＤＡ１の全体と平面視で重畳しており、第１の表示領域ＤＡ１と第２の表示領域ＤＡ２の双方と平面視で重畳する領域と、第１の表示領域ＤＡ１のみと平面視で重畳する領域とを有する。
【００１２】
このような構成とすることにより、２枚の表示パネルの表示領域が平面視で重畳する領域と、重畳しない領域とを有する液晶表示装置を、シンプルな構造で実現することができる。即ち、図１に示すように、同一平面上に配置されたバックライトＢＬが、第１の表示領域ＤＡ１と第２の表示領域ＤＡ２とが平面視で重畳する領域と、第１の表示領域ＤＡ１と第２の表示領域ＤＡ２とが重畳しない領域と、に光を照射することができる構造となっているため、バックライトを、２つの表示領域が平面視で重畳する領域と、重畳しない領域とに段差をつけて配置する必要がなく、シンプルな構造を実現することができる。
【００１３】
以下、本開示の液晶表示装置について、任意の構成を含めた、より具体的な構成について説明する。
【００１４】
第１の表示パネルＤＰ１と第２の表示パネルＤＰ２との間には、第１の偏光板Ｐ１が配置されており、第１の偏光板Ｐ１は第１の偏光方向を有する。また、第１の表示パネルＤＰ１の表示面側には、第４の偏光板Ｐ４が配置されており、第４の偏光板Ｐ４は、第１の偏光方向と直交する第２の偏光方向を有する。即ち、第１の偏光板Ｐ１と第４の偏光板Ｐ４とは、クロスニコル状態となっている。そして、第１の表示パネルＤＰ１に含まれる第１の薄膜トランジスタ基板ＴＦＴ１と第１の対向基板ＣＦ１との間に配置された第１の液晶層ＬＣＤ１に加える電圧を制御することにより、第１の表示領域ＤＡ１において、第１の画像を表示することが可能となっている。なお、第１の表示領域ＤＡ１とは、第１の画像を表示する範囲と平面視で重畳する第１の薄膜トランジスタ基板ＴＦＴ１から第１の対向基板ＣＦ１までを含む領域である。
【００１５】
第２の表示パネルＤＰ２の表示面側には、第５の偏光板Ｐ５が配置されており、第５の偏光板Ｐ５は第１の偏光方向を有する。また、第２の表示パネルＤＰ２の背面側には、第３の偏光板Ｐ３が配置されており、第３の偏光板Ｐ３は、第２の偏光方向を有する。即ち、第３の偏光板Ｐ３と第５の偏光板Ｐ５とは、クロスニコル状態となっている。そして、第２の表示パネルＤＰ２に含まれる第２の薄膜トランジスタ基板ＴＦＴ２と第２の対向基板ＣＦ２との間に配置された第２の液晶層ＬＣＤ２に加える電圧を制御することにより、第２の表示領域ＤＡ２において、第２の画像を表示することが可能となっている。なお、第２の表示領域ＤＡ２とは、第２の画像を表示する範囲と平面視で重畳する第２の薄膜トランジスタ基板ＴＦＴ２から第２の対向基板ＣＦ２までを含む領域である。
【００１６】
このように、第１の表示領域ＤＡ１と第２の表示領域ＤＡ２とが、それぞれ画像を表示する構成とすることにより、第１の表示領域ＤＡ１と第２の表示領域ＤＡ２とが平面視重畳する領域においては、高いコントラストを実現することができる。一方、第１の表示領域ＤＡ１が、第２の表示領域ＤＡ２と平面視で重畳しない領域においては、バックライトＢＬの光が直接、第１の表示領域ＤＡ１にまで届くため、同じバックライトＢＬを用いても、高輝度な画像表示を実現することができる。
【００１７】
なお、第５の偏光板Ｐ５と第１の偏光板Ｐ１との間には、拡散板ＤＭを介在させておくことが望ましい。
【００１８】
第１の表示パネルＤＰ１は、その端部領域である第１の領域Ａ１に、第１の表示パネルＤＰ１を駆動する第１の駆動回路ＤＣ１を含み、第２の表示パネルＤＰ２は、その端部領域である第２の領域Ａ２に、第２の表示パネルＤＰ２を駆動する第２の駆動回路ＤＣ２を含む。
【００１９】
図１に示す例においては、第１の領域Ａ１と第２の領域Ａ２とが、平面視で重畳しておらず、第２の領域Ａ２は、第１の表示領域ＤＡ１と平面視で重畳する構成となっている。このような構成においては、第１の表示領域ＤＡ１における、第２の領域Ａ２と平面視で重畳する領域において、黒色の画像を常に表示する構成とすることが望ましい。このような構成とすることにより、液晶表示装置が表示する画像において、不連続な部分を隠すことが可能となる。
【００２０】
なお、液晶表示装置が表示する画像において、不連続な部分を隠す方法は上記に限定されない。例えば、第１の表示パネルＤＰ１が、背面側に配置された第１の薄膜トランジスタ基板ＴＦＴ１と、第１の薄膜トランジスタ基板ＴＦＴ１と対向して配置され、カラーフィルタとブラックマトリクスとを含む第１の対向基板ＣＦ１と、を含む場合、表示面側から見て、第２の領域Ａ２を覆うように、第１の対向基板ＣＦ１にブラックマトリクスを配置する構成としてもよい。
【００２１】
なお、図１に示した構成においては、第１の駆動回路ＤＣ１が配置された第１の領域Ａ１と、第２の駆動回路ＤＣ２が配置された第２の領域Ａ２とが、平面視で重畳しない構成を例に挙げたが、図２に示すように、第１の領域Ａ１と第２の領域Ａ２とを、平面視で重畳させる構成としてもよい。
【００２２】
また、図１、図２に示した構成においては、第２の表示パネルＤＰ２の面積が、第１の表示パネルＤＰ１の面積よりも小さい構成を例に挙げたが、図３、図４に示すように、第１の表示パネルＤＰ１の面積と第２の表示パネルＤＰ２の面積が実質的に等しい構成でも、構わない。
【００２３】
図３に示す構成においては、第２の表示パネルＤＰ２が、第２の液晶層ＬＣＤ２と、第１の表示領域ＤＡ１とが平面視で重畳し、映像を表示しない無表示領域ＮＤＡ（第１の無表示領域ＮＤＡ１、第２の無表示領域ＮＤＡ２）を更に含む。なお、無表示領域ＮＤＡは、シール部材で囲まれた第２の液晶層ＬＣＤ２が形成された範囲と表示領域ＤＡ１とが平面視で重畳する範囲の一部であり、この範囲と平面視で重畳する第２の薄膜トランジスタ基板ＴＦＴ２から第２の対向基板ＣＦ２までを含む領域である。この無表示領域ＮＤＡにおいては、第２の薄膜トランジスタ基板ＴＦＴ２が、画素電極や共通電極を含まない構成としており、第２の液晶層ＬＣＤ２に、電圧が印加されない。
【００２４】
第２の表示パネルＤＰ２の無表示領域ＮＤＡの背面側においては、第１の偏光板Ｐ１と同じ、第１の偏光方向を有する第２の偏光板Ｐ２を配置している。一方、第２の表示パネルＤＰ２の無表示領域ＮＤＡの表示面側においては、第２の表示パネルＤＰ２と第１の偏光板Ｐ１との間に、その他の偏光板が介在しない構成となっている。第１の偏光板Ｐ１と第２の偏光板Ｐ２との間は、ノーマリ・ホワイトの状態となっており、第２の液晶層ＬＣＤ２に電圧を加えない状態において、バックライトＢＬからの光が、第１の偏光方向を有する偏光として、第１の表示パネルＤＰ１へと透過される構成となっている。第２の偏光板Ｐ２を配置することで、バックライトＢＬからの光がそのまま照射されることによって、第２の液晶層ＬＣＤ２に含まれる液晶が分解されてしまうのを抑制することが可能となる。
【００２５】
なお、図４に示す構成においては、第２の表示パネルＤＰ２の無表示領域ＮＤＡの背面側において、偏光板を設ける代わりに、紫外光を遮断するフィルムＵＶＢを配置する構成としてもよい。第２の表示パネルＤＰ２の表示面側、及び背面側に偏光板が存在しない構成のため、バックライトのＢＬの光が、第１の表示パネルＤＰ１へと透過される構成となっている。また、紫外光を遮断するフィルムＵＶＢを配置しておくことにより、バックライトＢＬの光に含まれる紫外光によって、第２の液晶層ＬＣＤ２に含まれる液晶が分解されてしまうのを抑制することが可能となる。
【００２６】
図５は、図３、図４に示した第２の表示パネルＤＰ２における、第２の駆動回路ＤＣ２と、第２の駆動回路ＤＣ２に接続された配線との配置を示す模式的な平面図である。
【００２７】
図５に示すように、第２の表示パネルＤＰ２は、第２の駆動回路ＤＣ２として、ソースドライバＤＣ２Ｓと、ゲートドライバＤＣ２Ｇとを有する。第２の表示パネルＤＰ２は、図３、４で示したように、無表示領域ＮＤＡとして、第１の無表示領域ＮＤＡ１と、第２の無表示領域ＮＤＡ２と、を有している。第１の無表示領域ＮＤＡ１は、平面視で、第２の駆動回路ＤＣ２であるゲートドライバＤＣ２Ｇと第２の表示領域ＤＡ２との間に配置されており、第２の無表示領域ＮＤＡ２は、第２の表示領域ＤＡ２に対して第１の無表示領域ＮＤＡ１と反対側に配置されている。
【００２８】
ソースドライバＤＣ２Ｓには、第１の方向に延伸する複数の第１の配線Ｌ１としてのソース配線が接続されており、ゲートドライバＤＣ２Ｇには、第１の方向に交差する第２の方向に延伸する複数の第２の配線Ｌ２としてのゲート配線が接続されている。
【００２９】
上述したとおり、無表示領域ＮＤＡにおいては、第２の薄膜トランジスタ基板ＴＦＴ２が、画素電極や共通電極を含まない構成としており、本来、第１の配線Ｌ１と、第２の配線Ｌ２を、第１の無表示領域ＮＤＡ１、第２の無表示領域ＮＤＡ２内に延伸させる必要は無い。そのため、第１の無表示領域ＮＤＡ１、第２の無表示領域ＮＤＡ２内において、第２の薄膜トランジスタ基板ＴＦＴ２が、第１の配線Ｌ１を含まない構成としている。しかし、第１の無表示領域ＮＤＡ１は、第２の駆動回路ＤＣ２であるゲートドライバＤＣ２Ｇと第２の表示領域ＤＡ２との間に配置されているため、第２の表示領域ＤＡ２に延伸させるための第２の配線Ｌ２が、第１の無表示領域ＮＤＡ１を通過する構成となっている。そのため、第２の薄膜トランジスタ基板ＴＦＴ２は、第１の無表示領域ＮＤＡ１において、第２の配線Ｌ２を含む。一方、第２の無表示領域ＮＤＡ２については、第２の駆動回路ＤＣ２と第２の表示領域ＤＡ２との間に配置されていないため、このような第２の配線Ｌ２を含まない構成としている。
【００３０】
なお、表示装置全体として、第１の無表示領域ＮＤＡ１と平面視で重畳する領域、即ち第１の表示領域ＤＡ１と第２の表示領域ＤＡ２とが平面視で重畳しない領域において、高輝度な画像表示を実現させることを目的とする場合、第１の無表示領域ＮＤＡ１における第２の配線Ｌ２の幅を、第２の表示領域ＤＡ２における第２の配線Ｌ２の幅よりも細くすることが望ましい。
【００３１】
また、第２の表示領域ＤＡ２における第２の配線Ｌ２の幅を、第１の無表示領域ＮＤＡ１における第２の配線Ｌ２の幅よりも太くすることにより、第２の配線Ｌ２の配線抵抗を下げることができ望ましい。
【００３２】
なお、図５に示す例においては、第２の方向に延伸する第２の配線Ｌ２の例としてゲート配線を用いて説明したが、第２の方向に延伸する第２の配線Ｌ２が共通電極に接続されるコモン配線の場合や、第２の駆動回路ＤＣ２としてのゲートドライバＤＣ２ＧとソースドライバＤＣ２Ｓの配置関係を逆にし、第２の方向に延伸する第２の配線Ｌ２がソース配線である場合であっても同様である。即ち、第２の駆動回路ＤＣ２と第２の表示領域ＤＡ２との間に配置された第１の無表示領域ＮＤＡ１においては、第２の表示領域ＤＡ２まで引き回すための第２の配線Ｌ２を配置し、第２の無表示領域ＮＤＡ２においては、第２の配線Ｌ２を配置しない構成とすることが望ましく、第１の無表示領域ＮＤＡ１においては、第２の配線Ｌ２の幅を、第２の表示領域ＤＡ２における第２の配線Ｌ２の幅よりも細くすることが望ましい。
【００３３】
なお、図１〜４を用いて上述した例においては、第１の表示パネルＤＰ１の表示面側と背面側に、互いにクロスニコル状態にある第４の偏光板Ｐ４と第１の偏光板Ｐ１を配置し、第２の表示パネルＤＰ２の表示面側と背面側に、互いにクロスニコル状態にある第５の偏光板Ｐ５と第３の偏光板Ｐ３を配置することにより、第１の表示領域ＤＡ１と第２の表示領域ＤＡ２とが平面視で重畳する領域において、高いコントラストを実現する例について説明したが、本開示はこの構成に限られない。
【００３４】
図６〜９は、図１〜４を用いて上述した第１の表示領域ＤＡ１と第２の表示領域ＤＡ２とが平面視で重畳する領域において、ＤＦＤ（Ｄｅｐｔｈ−ｆｕｓｅｄ  ３Ｄ）表示を実現する構成例について説明する。
【００３５】
ＤＦＤとは、二つの２次元画像を積層することにより、３次元画像を提供する方法の一つである。表示したい３次元画像の２次元射影像を、表示面側、背面側に配置された二つの表示パネルにおいて、視認者の位置から見て重なるように表示する。これにより、視認者は、二つの２次元射影像を、奥行き方向に融合された一つの立体画像として感じる。
【００３６】
図６〜９に示す例では、第１の表示パネルＤＰ１と第２の表示パネルＤＰ２を、第１の表示パネルＤＰ１の表示面側に配置された第４の偏光板Ｐ４と、第２の表示パネルＤＰ２の背面側に配置された第２の偏光板Ｐ２との間に配置している。このような構成とすることにより、第１の表示パネルＤＰ１と第２の表示パネルＤＰ２におけるそれぞれの偏光変化が加算される構成としている。
【００３７】
以下、図６〜９に示す構成について、簡単に説明する。
【００３８】
図６に示す例では、液晶表示装置が、バックライトＢＬと、第１の表示領域ＤＡ１を有する第１の表示パネルＤＰ１と、第２の表示領域ＤＡ２を有し、第１の表示パネルＤＰ１とバックライトＢＬとの間に配置された第２の表示パネルＤＰ２と、を含む。第２の表示領域ＤＡ２は、第１の表示領域ＤＡ１より面積が小さく、第１の表示領域ＤＡ１の一部と、平面視でその全体が重畳する。
【００３９】
バックライトＢＬは、第２の表示領域ＤＡ２を介して第１の表示領域ＤＡ１と対向する領域と、第２の表示領域ＤＡ２を介さずに第１の表示領域ＤＡ１と対向する領域と、を有する。本実施形態においては、バックライトＢＬが、第１の表示領域ＤＡ１の全体と平面視で重畳しており、第１の表示領域ＤＡ１と第２の表示領域ＤＡ２の双方と平面視で重畳する領域と、第１の表示領域ＤＡ１のみと平面視で重畳する領域とを有する。
【００４０】
このような構成とすることにより、２枚の表示パネルの表示領域が平面視で重畳する領域と、重畳しない領域とを有する液晶表示装置を、シンプルな構造で実現することができる。
【００４１】
第１の表示パネルＤＰ１と第２の表示パネルＤＰ２との間で、第１の表示領域ＤＡ１と第２の表示領域ＤＡ２とが平面視で重畳する領域には、偏光板を含まない構成となっている。第１の表示パネルＤＰ１の表示面側には第２の偏光方向を有する第４の偏光板Ｐ４が配置され、第２の表示パネルＤＰ２の背面側には第１の偏光方向を有する第２の偏光板Ｐ２が配置され、第２の偏光板Ｐ２と第４の偏光板Ｐ４とがクロスニコル状態となっている。
【００４２】
第１の表示領域ＤＡ１が、第２の表示領域ＤＡ２と平面視で重畳しない領域には、第１の表示パネルＤＰ１の表示面側に第４の偏光板Ｐ４が配置されており、背面側には第１の偏光板Ｐ１が配置されている。第１の偏光板Ｐ１は第１の偏光方向を有し、第４の偏光板Ｐ４は、第１の偏光方向と直交する第２の偏光方向を有する。即ち、第１の偏光板Ｐ１と第４の偏光板Ｐ４とは、クロスニコル状態となっている。そして、第１の表示パネルＤＰ１に含まれる第１の薄膜トランジスタ基板ＴＦＴ１と第１の対向基板ＣＦ１との間に配置された第１の液晶層ＬＣＤ１に加える電圧を制御することにより、第１の表示領域ＤＡ１において、第１の画像を表示することが可能となっている。
【００４３】
このような構成とすることに、第１の表示領域ＤＡ１と第２の表示領域ＤＡ２とが平面視で重畳する領域においては、ＤＦＤ表示を実現することができ、第１の表示領域ＤＡ１が、第２の表示領域ＤＡ２と平面視で重畳しない領域においては、バックライトＢＬの光が直接、第１の表示領域ＤＡ１にまで届くため、同じバックライトＢＬを用いても、高輝度な画像表示を実現することができる。
【００４４】
図６に示す例においては、第１の領域Ａ１と第２の領域Ａ２とが、平面視で重畳しておらず、第２の領域Ａ２は、第１の表示領域ＤＡ１と平面視で重畳する構成となっている。このような構成においては、第１の表示領域ＤＡ１における、第２の領域Ａ２と平面視で重畳する領域において、黒色の画像を常に表示する構成とすることが望ましい。あるいは、表示面側から見て第２の領域Ａ２を覆うように、ブラックマトリクスを配置する構成としてもよい。
【００４５】
なお、図６に示した構成においては、第１の駆動回路ＤＣ１が配置された第１の領域Ａ１と、第２の駆動回路ＤＣ２が配置された第２の領域Ａ２とが、平面視で重畳しない構成を例に挙げたが、図７に示すように、第１の領域Ａ１と第２の領域Ａ２とを、平面視で重畳させる構成としてもよい。
【００４６】
また、図６、図７に示した構成においては、第２の表示パネルＤＰ２の面積が、第１の表示パネルＤＰ１の面積よりも小さい構成を例に挙げたが、図８、図９に示すように、第１の表示パネルＤＰ１の面積と第２の表示パネルＤＰ２の面積がほぼ等しい構成としても構わない。
【００４７】
図８に示す構成においては、第２の表示パネルＤＰ２が、第２の液晶層ＬＣＤ２と、第１の表示領域ＤＡ１とが平面視で重畳し、映像を表示しない無表示領域ＮＤＡ（第１の無表示領域ＮＤＡ１、第２の無表示領域ＮＤＡ２）を更に含む。この無表示領域ＮＤＡにおいては、第２の薄膜トランジスタ基板ＴＦＴ２が、画素電極や共通電極を含まない構成としており、第２の液晶層ＬＣＤ２に、電圧が印加されない。
【００４８】
第２の表示パネルＤＰ２の無表示領域ＮＤＡの背面側においては、第１の偏光板Ｐ１と同じ、第１の偏光方向を有する第２の偏光板Ｐ２を配置している。一方、第２の表示パネルＤＰ２の無表示領域ＮＤＡの表示面側においては、第２の表示パネルＤＰ２と第１の偏光板Ｐ１との間に、その他の偏光板が介在しない構成となっている。第１の偏光板Ｐ１と第２の偏光板Ｐ２との間は、ノーマリ・ホワイトの状態となっており、第２の液晶層ＬＣＤ２に電圧を加えない状態において、バックライトＢＬからの光が、第１の偏光方向を有する偏光として、第１の表示パネルＤＰ１へと透過される構成となっている。
【００４９】
なお、図９に示す構成においては、第２の表示パネルＤＰ２の無表示領域ＮＤＡの背面側において、偏光板を設ける代わりに、紫外光を遮断するフィルムＵＶＢを配置する構成としてもよい。第２の表示パネルＤＰ２の表示面側、及び背面側に偏光板が存在しない構成のため、バックライトＢＬの光が、第１の表示パネルＤＰ１へと透過される構成となっている。また、紫外光を遮断するフィルムＵＶＢを配置しておくことにより、バックライトＢＬの光に含まれる紫外光によって、第２の液晶層ＬＣＤ２に含まれる液晶が分解されてしまうのを抑制することが可能となる。
【００５０】
なお、図８、９に示す構成においても、図３、４で開示した範囲と同様に、第２の駆動回路ＤＣ２と第２の表示領域ＤＡ２との間に配置された第１の無表示領域ＮＤＡ１においては、第２の表示領域ＤＡ２まで引き回すための第２の配線Ｌ２を配置し、第２の無表示領域ＮＤＡ２においては、第２の配線Ｌ２を配置しない構成とすることが望ましく、第１の無表示領域ＮＤＡ１においては、第２の配線Ｌ２の幅を、第２の表示領域ＤＡ２における第２の配線Ｌ２の幅よりも細くすることが望ましい。また、第１の無表示領域ＮＤＡ１、第２の無表示領域ＮＤＡ２内において、第２の薄膜トランジスタ基板ＴＦＴ２が、第１の配線Ｌ１を含まない構成とすることが望ましい。
【００５１】
なお、図１０〜１３に示すように、一つの液晶表示装置の中で、上述した高輝度領域、高コントラスト領域、及びＤＦＤ表示領域を実現する構成としてもよい。
【００５２】
図１０は、図１及び図６を用いて上述した構成を組み合わせたものであり、第２の表示領域ＤＡ２が、高コントラストＤＡ２１と、ＤＦＤ表示領域ＤＡ２２とを含む構成である。図１０に示す構成においては、二つの第２の領域Ａ２が、第１の表示領域ＤＡ１と、平面視で重畳する構成となる。従って、第１の表示領域ＤＡ１における、この二つの第２の領域Ａ２と平面視で重畳する領域において、黒色の画像を常に表示する構成とするか、表示面側から見て第２の領域Ａ２を覆うように、ブラックマトリクスを配置する構成とすることが望ましい。
【００５３】
図１１は、図２及び図７を用いて上述した構成を組み合わせたものであり、第２の表示領域ＤＡ２が、高コントラストＤＡ２１と、ＤＦＤ表示領域ＤＡ２２とを含む構成である。図１１に示す構成においては、第１の領域Ａ１と第２の領域Ａ２とが、平面視で重畳する。
【００５４】
図１２、図１３に示す構成においては、第１の表示パネルＤＰ１と第２の表示パネルＤＰ２は、第２の表示領域ＤＡ２と異なる領域で、平面視で重畳している。
【００５５】
図１２に示す構成においては、第２の表示パネルＤＰ２が、第２の液晶層ＬＣＤ２と、第１の表示領域ＤＡ１とが平面視で重畳し、映像を表示しない第１の無表示領域ＮＤＡ１を更に含む。この第１の無表示領域ＮＤＡ１においては、第２の薄膜トランジスタ基板ＴＦＴ２が、画素電極や共通電極を含まない構成としており、第２の液晶層ＬＣＤ２に、電圧が印加されない。
【００５６】
第２の表示パネルＤＰ２の第１の無表示領域ＮＤＡ１の背面側においては、第１の偏光板Ｐ１と同じ、第１の偏光方向を有する第２の偏光板Ｐ２を配置している。一方、第２の表示パネルＤＰ２の第１の無表示領域ＮＤＡ１の表示面側においては、第２の表示パネルＤＰ２と第１の偏光板Ｐ１との間に、その他の偏光板が介在しない構成となっている。第１の偏光板Ｐ１と第２の偏光板Ｐ２との間は、ノーマリ・ホワイトの状態となっており、第２の液晶層ＬＣＤ２に電圧を加えない状態において、バックライトＢＬからの光が、第１の偏光方向を有する偏光として、第１の表示パネルＤＰ１へと透過される構成となっている。
【００５７】
なお、図１３に示す構成においては、第２の表示パネルＤＰ２の第１の無表示領域ＮＤＡ１の背面側において、偏光板を設ける代わりに、紫外光を遮断するフィルムＵＶＢを配置する構成としてもよい。第２の表示パネルＤＰ２の表示面側、及び背面側に偏光板が存在しない構成のため、バックライトＢＬの光が、第１の表示パネルＤＰ１へと透過される構成となっている。また、紫外光を遮断するフィルムＵＶＢを配置しておくことにより、バックライトＢＬの光に含まれる紫外光によって、第２の液晶層ＬＣＤ２に含まれる液晶が分解されてしまうのを抑制することが可能となる。
【００５８】
なお、図１２、１３に示す構成においても、第２の駆動回路ＤＣ２と第２の表示領域ＤＡ２との間に配置された第１の無表示領域ＮＤＡ１においては、第２の表示領域ＤＡ２まで引き回すための第２の配線Ｌ２を配置し、第２の無表示領域ＮＤＡ２においては、第２の配線Ｌ２を配置しない構成とすることが望ましく、第１の無表示領域ＮＤＡ１においては、第２の配線Ｌ２の幅を、第２の表示領域ＤＡ２における第２の配線Ｌ２の幅よりも細くすることが望ましい。また、第１の無表示領域ＮＤＡ１、第２の無表示領域ＮＤＡ２内において、第２の薄膜トランジスタ基板ＴＦＴ２が、第１の配線Ｌ１を含まない構成とすることが望ましい。
【００５９】
なお、図１〜１３を用いて上述した第２の表示領域ＤＡ２は、非矩形状であってもよい。
【００６０】
例えば、図１、６、１０に示したように、第２の表示パネルＤＰ２の面積が、第１の表示パネルＤＰ１の面積よりも小さく、第２の領域Ａ２が、第１の表示領域ＤＡ１と、平面視で重畳する構成においては、図１４に示すように、非矩形状の第２の表示領域ＤＡ２を有する第２の表示パネルＤＰ２を、第１の表示パネルＤＰ１の背面側に配置する構成としてもよい。この場合、例えば図１に示す構成であれば、第２の表示パネルＤＰ２の外形を規定する第３の偏光板Ｐ３、及び第２の表示領域ＤＡ２の外形を規定する第５の偏光板Ｐ５が非矩形状となる。また、図６に示す構成であれば、第２の表示パネルＤＰ２の外形を規定する第２の偏光板Ｐ２が非矩形状となる。また、図１０に示す構成であれば、第２の表示パネルＤＰ２の外形を規定する第２の偏光板Ｐ２、第３の偏光板Ｐ３、及び高コントラストＤＡ２１を規定する第５の偏光板Ｐ５が非矩形状となる。
【００６１】
また、図３、４、８、９に示したように、第１の表示パネルＤＰ１の面積と第２の表示パネルＤＰ２の面積が略等しく、第１の表示パネルＤＰ１と第２の表示パネルＤＰ２とが互いに平面視で重畳する構成の場合、図１５に示すように、非矩形状の第２の表示領域ＤＡ２が、第１の表示領域ＤＡ１と、平面視で重畳する構成としてもよい。この場合、例えば図３、４に示す構成であれば、第２の表示領域ＤＡ２を規定する第３の偏光板Ｐ３、及び第５の偏光板Ｐ５が非矩形状となり、図８、９に示す構成であれば、第２の表示領域ＤＡ２を規定する第２の偏光板Ｐ２が非矩形状となる。
【００６２】
なお、上述した構成において、バックライトＢＬが複数のＬＥＤを含む場合、バックライトＢＬが、第２の表示領域ＤＡ２を介して第１の表示領域ＤＡ１と対向する領域における、単位面積当たりのＬＥＤの個数と、バックライトＢＬが、第２の表示領域ＤＡ２を介さずに第１の表示領域ＤＡ１と対向する領域における、単位面積当たりのＬＥＤの個数とが、異なる構成としてもよい。
【００６３】
例えば、バックライトＢＬが、第２の表示領域ＤＡ２を介さずに第１の表示領域ＤＡ１と対向する領域においては、第１の表示領域ＤＡ１と第２の表示領域ＤＡ２とが平面視で重畳する領域と比較して、既に高輝度の表示を実現することができる構成となっている。そのため、バックライトＢＬが、第２の表示領域ＤＡ２を介さずに第１の表示領域ＤＡ１と対向する領域における、単位面積当たりのＬＥＤの個数が、バックライトＢＬが、第２の表示領域ＤＡ２を介して第１の表示領域ＤＡ１と対向する領域における、単位面積当たりのＬＥＤの個数よりも少ない構成としてもよい。
【００６４】
また、逆に、第１の表示領域ＤＡ１と第２の表示領域ＤＡ２とが平面視で重畳する領域、即ち、高コントラストやＤＦＤ表示が求められる領域では、高輝度な表示が不要な場合がありえる。そのような場合には、バックライトＢＬが、第２の表示領域ＤＡ２を介して第１の表示領域ＤＡ１と対向する領域における、単位面積当たりのＬＥＤの個数が、バックライトＢＬが、第２の表示領域ＤＡ２を介さずに第１の表示領域ＤＡ１と対向する領域における、単位面積当たりのＬＥＤの個数よりも少ない構成としてもよい。
【００６５】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００６６】
ＢＬ  バックライト、ＤＰ１  第１の表示パネル、ＴＦＴ１  第１の薄膜トランジスタ基板、ＣＦ１  第１の対向基板、ＬＣＤ１  第１の液晶層、ＤＡ１  第１の表示領域、ＤＣ１  第１の駆動回路、Ａ１  第１の領域、ＤＰ２  第２の表示パネル、ＴＦＴ２  第２の薄膜トランジスタ基板、ＣＦ２  第２の対向基板、ＬＣＤ２  第２の液晶層、ＤＡ２  第２の表示領域、ＤＡ２１  高コントラスト領域、ＤＡ２２  ＤＦＤ表示領域、ＤＣ２  第２の駆動回路、ＤＣ２Ｓ  ソースドライバ、ＤＣ２Ｇ  ゲートドライバ、Ｌ１  第１の配線、Ｌ２  第２の配線、Ａ２  第２の領域、ＮＤＡ  無表示領域、ＮＤＡ１  第１の無表示領域、ＮＤＡ２  第２の無表示領域、Ｐ１  第１の偏光板、Ｐ２  第２の偏光板、Ｐ３  第３の偏光板、Ｐ４  第４の偏光板、Ｐ５  第５の偏光板、ＤＭ  拡散板、ＵＶＢ  フィルム。
【図１】
2019179195.tif 000003
【図２】
2019179195.tif 000004
【図３】
2019179195.tif 000005
【図４】
2019179195.tif 000006
【図５】
2019179195.tif 000007
【図６】
2019179195.tif 000008
【図７】
2019179195.tif 000009
【図８】
2019179195.tif 000010
【図９】
2019179195.tif 000011
【図１０】
2019179195.tif 000012
【図１１】
2019179195.tif 000013
【図１２】
2019179195.tif 000014
【図１３】
2019179195.tif 000015
【図１４】
2019179195.tif 000016
【図１５】
2019179195.tif 000017